(57)【要約】使用時に使用者の手に保持されるようになされた使い捨て不織布クレンジング手袋（１０）が提供されている。この使い捨て不織布クレンジング手袋（１０）はパーソナルケア組成物（９０）を放出可能に保持している。
2006519632.tif 000002
【特許請求の範囲】
【請求項１】
使用者の手にフィットするようになされた使い捨て不織布クレンジング手袋であって：
（ａ）覆い被さる関係にある第１及び第２の実質的に相補関係にある不織布シート部材であって、前記使用者の手を受け入れるための内部容積を画定し、前記第１及び第２の実質的に相補関係にある不織布シート部材の各々が、外側面を含むと共に、この外側面とは反対側の内側面、頂縁部、前記頂縁部とは反対側の底縁部、並びに第１及び第２の互いに対向した側縁部を有しており、前記第１及び第２の実質的に相補関係にある不織布シート部材は、前記頂縁部と前記第１及び第２の互いに対向した側縁部の両方との周囲に沿って互いに固着されると共に、前記底縁部は前記内部容積中に前記使用者の手を挿入するための前記内部容積への開口を提供するように固着されていない、第１及び第２の不織布シート部材と；
（ｂ）パーソナルケア組成物と
を含み、
前記第１及び第２のシート部材の少なくとも一方は前記パーソナルケア組成物を放出可能に保持しており、
前記第１及び第２のシート部材の少なくとも一方は、前記内部容積の大きさを変化させて異なる手の大きさに適合できるようにするための押さえ手段を含むことを特徴とする、使い捨て不織布クレンジング手袋。
【請求項２】
前記第１及び第２のシート部材の少なくとも一方はポリオレフィンフィルムであり、前記押さえ手段を提供できるようになされている、請求項１に記載の使い捨て不織布クレンジング手袋。
【請求項３】
前記第２の部材は延伸性積層体であり、前記内部容積の大きさを変化させて異なる手の大きさに適合できるようにするための調節性をもたらす、請求項１又は２のいずれか１項に記載の使い捨て不織布クレンジング手袋。
【請求項４】
前記積層体は、不織布材料の２つの外側層に挟まれたエラストマーウェブの層を含む３層積層体である、請求項３に記載の使い捨て不織布クレンジング手袋。
【請求項５】
前記第１の不織布シート部材が、前記パーソナルケア組成物を放出可能に保持しており、不織嵩高詰綿材料を含む、請求項１〜４のいずれか１項に記載の使い捨て不織布クレンジング手袋。
【請求項６】
前記第１の不織布シート部材が、前記パーソナルケア組成物を放出可能に保持しており、不織嵩高詰綿材料の周りでＣ字状に折り畳まれた不織布を含む、請求項１〜５のいずれか１項に記載の使い捨て不織布クレンジング手袋。
【請求項７】
前記第１及び第２の不織布シート部材の各々は独立して、天然繊維類、合成繊維類、及びそれらの組み合わせより成る群から選択される繊維を含む、請求項１〜６のいずれか１項に記載の使い捨て不織布クレンジング手袋。
【請求項８】
前記第２の部材は、その前記内側面に取り付けられたポリオレフィンフィルムを更に含む、請求項１〜７のいずれか１項に記載の使い捨て不織布クレンジング手袋。
【請求項９】
使用者の手にフィットするようになされた使い捨て不織布クレンジング手袋であって：
（ａ）覆い被さる関係にある第１及び第２の実質的に相補関係にあるシート部材であって、前記使用者の手を受け入れるための内部容積を画定し、前記第１及び第２の実質的に相補関係にあるシート部材の各々が、外側面を含むと共に、この外側面とは反対側の内側面、頂縁部、前記頂縁部とは反対側の底縁部、並びに第１及び第２の互いに対向した側縁部を有しており、前記第１及び第２の実質的に相補関係にあるシート部材は、前記頂縁部と前記第１及び第２の互いに対向した側縁部の両方との周囲に沿って互いに固着されると共に、前記底縁部は、前記内部容積中に前記使用者の手を挿入するための前記内部容積への開口を提供するように固着されておらず、前記第１及び第２のシート部材の少なくとも一方は、前記内部容積の大きさを変化させて異なる手の大きさに適合できるようにするための調節手段を含み、前記第１のシート部材は不織布シート部材であり、前記第２のシート部材はポリマーフィルムである、第１及び第２のシート部材と；
（ｂ）パーソナルケア組成物と
を含み、
前記第１のシート部材は前記パーソナルケア組成物を放出可能に保持している、使い捨て不織布クレンジング手袋。
【請求項１０】
前記第１及び第２のシート部材の一方はその前記外側面上に印刷物を含む、請求項１〜９のいずれか１項に記載の使い捨て不織布クレンジング手袋。
【発明の詳細な説明】
【技術分野】
【０００１】
使用時に使用者の手に保持されるようになされた使い捨て不織布クレンジング手袋が提供される。この使い捨て不織布クレンジング手袋はパーソナルケア組成物を放出可能に保持している。
【背景技術】
【０００２】
パーソナルケア製品、特にクレンジング及びコンディショニング製品は昔から、固形石鹸、クリーム、ローション、及びジェルなどの種々の形態で販売されてきた。通常は、これらの製品は消費者に受け入れられるように数多くの基準を満足するものでなければならない。これらの基準には、クレンジングの有効性、肌触り、皮膚、毛髪、及び眼の粘膜に対する低刺激性、並びに泡体積が含まれる。理想的なパーソナルクレンジング剤は、皮膚又は毛髪を穏やかにクレンジングし、炎症をほとんど又は全く引き起こさないものでなければならず、また頻繁な使用の後に皮膚又は毛髪を過度に乾燥した状態にしてはならない。更に、子供が使用するように設計されたクレンジング組成物、特にシャンプーは、眼の粘膜に対して低刺激性を示し、クレンジング組成物からの物質が眼の中に入ったとしても、眼への刺痛を全く示さないか最小限しか示さないものでなければならない。
【０００３】
使い捨て基材からクレンジング及びコンディショニング効果を送達することは極めて望ましい。使い捨ての製品は、厄介なボトル、バー、ビン、チューブ、並びにクレンジング製品及び治療的又は審美的効果を提供できる他の製品に関連するその他の乱雑な形態を持ち運び又は保管する必要をなくするので、それらは便利である。また、何回もの再利用を意図されたスポンジ、洗い布、又はその他のクレンジング用具のような用具類は、細菌の繁殖、好ましくない悪臭、及び繰り返し使用に関連する他の望ましくない特性を発現させる恐れがあるため、使い捨ての製品はこのような用具の使用に替わる、より衛生的なものである。
【０００４】
しかしながら、小さな子供が簡単に使用できる使い捨て洗い布又は使い捨て手袋のような使い捨てパーソナルケア物品が望ましいにもかかわらず、それらは固有の課題を有する。そのような課題の１つは、こうした使い捨て手袋を、特にごしごし洗っている間、使用者の手に保持させることである。手袋が使用中に落ちてしまいがちであると、使用者は実際に手袋を使って自分自身を洗うことよりもクレンジング手袋を手に保持することに気をとられる。
【発明の開示】
【発明が解決しようとする課題】
【０００５】
簡単に使用でき、老人、子供、大きさ及び／又は成長段階の消費者によって使用されるのに好適である使い捨て洗浄製品、とりわけ様々な年齢の子供に適した製品が依然として必要とされている。更に、消費者が、洗浄手袋を手に保持することを気にかける必要なく、手元の仕事、すなわち、洗う及び洗浄することに集中できるように使用者の手に保持される洗浄手袋が依然として必要とされている。
【課題を解決するための手段】
【０００６】
本発明の第１の態様は：
（ａ）覆い被さる関係にある第１及び第２の不織布シート部材であって、使用者の手を受け入れるための内部容積を画定し、前記第１及び第２の不織布シート部材の各々は、外側面を含むと共に、この外側面とは反対側の内側面、頂縁部、前記頂縁部とは反対側の底縁部、並びに第１及び第２の互いに対向した側縁部を有しており、前記第１及び第２の不織布シート部材は前記頂縁部と前記第１及び第２の互いに対向した側縁部の両方との周囲に沿って互いに永久的に固着されると共に、底縁部は内部容積中に使用者の手を容易に挿入するための前記内部容積への、並びに前記第１及び第２のシート部材の少なくとも一方の前記内側面に関連した押さえ補助手段への、実質的なアクセス開口を提供するように固着されていない、第１及び第２の不織布シート部材と；
（ｂ）パーソナルケア組成物と
を含み、
前記第１及び第２のシート部材の少なくとも一方は前記パーソナルケア組成物を放出可能に保持している、使用者の手にフィットするようになされた使い捨て不織布クレンジング手袋を提供する。
【０００７】
本発明の第２の態様は：
（ａ）覆い被さる関係にある第１及び第２の不織布シート部材であって、使用者の手を受け入れるための内部容積を画定し、前記第１及び第２の不織布シート部材の各々は、外側面を含むと共に、この外側面とは反対側の内側面、頂縁部、前記頂縁部とは反対側の底縁部、並びに第１及び第２の互いに対向した側縁部を有しており、前記第１及び第２の不織布シート部材は前記頂縁部と前記第１及び第２の互いに対向した側縁部の両方との周囲に沿って互いに永久的に固着されると共に、底縁部は前記内部容積中に使用者の手を容易に挿入するための前記内部容積への、並びに前記第１及び第２のシート部材の少なくとも一方の内側面に取り付けられたポリオレフィンフィルムへの、実質的なアクセス開口を提供するように固着されていない、第１及び第２の不織布シート部材と；
（ｂ）パーソナルケア組成物と
を含み、
前記第１及び第２のシート部材の少なくとも一方は前記パーソナルケア組成物を放出可能に保持している、使用者の手にフィットするようになされた使い捨て不織布クレンジング手袋を提供する。
【０００８】
本発明の第３の態様は：
（ａ）覆い被さる関係にある第１及び第２の不織布シート部材であって、子供の手を受け入れるための内部容積を画定し、前記第１及び第２の不織布シート部材の各々は、外側面を含むと共に、この外側面とは反対側の内側面、頂縁部、前記頂縁部とは反対側の底縁部、並びに第１及び第２の互いに対向した側縁部を有しており、前記第１及び第２の不織布シート部材は前記頂縁部と前記第１及び第２の互いに対向した側縁部の両方との周囲に沿って互いに永久的に固着されると共に、底縁部は前記内部容積中に子供の手を容易に挿入するための前記内部容積への、並びに前記第１及び第２のシート部材の少なくとも一方の内側面に取り付けられたポリオレフィンフィルムへの、実質的なアクセス開口を提供するように固着されていない、第１及び第２の不織布シート部材と；
（ｂ）パーソナルケア組成物と
を含み、
前記第１及び第２のシート部材の少なくとも一方は前記パーソナルケア組成物を放出可能に保持している、子供の手にフィットするようになされた使い捨て不織布クレンジング手袋を提供する。
【０００９】
引用される全ての文献は、その関連部分において、本明細書に参考として組み込まれるが、いずれの文献の引用もそれが本発明に関して先行技術であるという容認として解釈されるべきではない。
【００１０】
本明細書全体にわたって提示されるあらゆる限界が、場合によっては更に低い又は更に高いあらゆる限界を、こうした更に低い又は更に高い限界が本明細書に明確に記載されたかのように含むということが、理解される必要がある。本明細書全体にわたって提示されるあらゆる範囲は、そのような広い範囲内に入るあらゆる更に狭い範囲を、こうした更に狭い範囲がすべて本明細書に明確に記載されたかのように含む。
【００１１】
特に指定しない限り、すべてのパーセント、比率、及び割合は重量に対してであり、すべての温度は摂氏温度（℃）である。すべての測定値は、特に指定しない限りＳＩ単位によるものである。
【発明を実施するための最良の形態】
【００１２】
下記の本発明の説明を添付図面と関連させて読むことにより、上述の及びその他の特徴並びに本発明の目的及びそれを達成する方法がより明白となり、また発明そのものがよりよく理解される。
【００１３】
本発明の当該物品及び方法は、成人及び／又は子供などの使用者によって、パーソナルクレンジングにおいて使用されるのに好適である。使用方法が容易で単純であるが故に、本発明を用いて、非常に幼い子供がある程度までひとりで自分自身を洗浄することができる。
【００１４】
（定義）
本明細書で使用するとき、略語「ｇｓｍ」は、「１平方メートル当りのグラム数」を意味する。
【００１５】
本明細書で使用するとき、「使い捨て」とは、限定された回数の使用事象、好ましくは約２回以下、より好ましくは１回の使用事象の後、処分又は廃棄される物品を意味するために、通常の意味で使用される。
【００１６】
本明細書で使用するとき、「ペースト」又は「ペースト形態」とは、半固体の粘稠度の組成物を意味する。
【００１７】
「放出可能に保持している」という用語は、組成物がクレンジング手袋の不織布シート部材中に、及び／又は部材上に含有されており、水の適用によって、並びに／又はそのクレンジング手袋及び／若しくはその不織布シート部材に対する何らかの力の適用によって、例えば、不織布シート材料をねじること、子供を拭うこと、又は不織布シート部材若しくはクレンジング手袋全体を水に浸すことによって、その組成物がその不織布部材から容易に放出可能であることを意味する。
【００１８】
本明細書で使用するとき、用語「含む」とは、多様な構成要素、成分、又は工程を連帯して本発明を実施する際に使用できることを意味する。それ故に、用語「含む」は非限定的であり、より制限的な用語「から本質的に成る」及び「から成る」を包含する。その他の用語については、それらが本明細書においてより詳細に論じされる際に、定義されてもよい。
【００１９】
図１を参照すると、本発明に従う使い捨て不織布クレンジング手袋１０の可能な実施形態の１つが示されている。手袋１０は第１の不織布シート部材２０を含み、これは外側面３０、内側面４０（図３〜６）、頂縁部５０、底縁部６０、第１の側縁部７０、及び第２の側縁部８０を有している。第１の不織布シート部材２０は、覆い被さる関係にある相補関係にある第２の不織布シート部材１１０（図２）と共に内部容積１００を画定し、この内部容積１００には開口１０５を介して使用者の手が入れられる。
【００２０】
クレンジング手袋１０はまた、パーソナルケア組成物９０を含む。第１の不織布シート部材２０がパーソナルケア組成物９０を放出可能に保持している。本発明の一実施形態では、パーソナルケア組成物９０は第１の不織布シート部材２０の一部の上に、例えば、これに限定されないが、外側面３０上に縞模様、点、幾何学的模様、非幾何学的模様、又は無作為な分布の形態で、存在していてもよい。別の実施形態では、パーソナルケア組成物９０は、第１の不織布シート部材２０の外側面３０全体に存在していてもよい。また別の実施形態では、パーソナルケア組成物９０は、第１の不織布シート部材の内部に、及び／又はその不織布シート部材の外側面に存在していてもよい。
【００２１】
図１では第１の不織布シート部材２０の外側面３０がパーソナルケア組成物９０を放出可能に保持しているが、本発明の他の実施形態では第２の不織布シート部材がパーソナルケア組成物を放出可能に保持していてもよいことを理解すべきである。第１の不織布シート部材及び第２の不織布シート部材のどちらがパーソナルケア組成物を放出可能に保持しているかに関しては制限されない。第１及び第２の不織布シート部材の両方がパーソナルケア組成物を放出可能に保持していることも可能である。更に、パーソナルケア組成物は、不織布部材がそのパーソナルケア組成物を放出可能に保持している限り、どの不織布部材の外側面、内部、及び／又は内側面に保持されていてもよい。
【００２２】
図２を参照すると、図１の手袋１０の平面図が示されている。手袋１０は、外側面１２０、内側面１３０（図３〜６）、頂縁部１５０、底縁部１６０、第１の側縁部１７０、及び第２の側縁部１８０を有する第２の不織布シート部材１１０を含む。
【００２３】
本発明のクレンジング手袋は、第１及び第２のシート部材の少なくとも一方の前記内側面に関連した押さえ補助手段を含む。すなわち、押さえ補助手段は、それが使用前及び使用時に使用者の手に接着するか、粘着するか、又は付着するように、選択される。この接着は、静電引力、湿潤時の不織布シート部材の使用者の手の形に対する適合、及びこれらの組み合わせを含むがそれらに限定されない、種々の様式で達成されてよい。
【００２４】
本発明の一実施形態では、この押さえ補助手段は、第１及び第２のシート部材の少なくとも一方の前記内側面に関連した、分離した要素である。これの一例は、第２のシート部材の内側面に取り付けられたポリオレフィンフィルムである。別の実施形態では、第１及び第２のシート部材の一方又は両方のどちらかが押さえ補助手段を含んでいる。すなわち、押さえ補助手段は第１及び第２のシート部材の一方又は両方を含む不織布シート材料の一部である。第１及び第２のシート部材の一方又は両方を含む不織布シート材料は、それらが使用前及び使用時に使用者の手に接着、粘着、又は付着するように選択される。
【００２５】
本発明のクレンジング手袋において押さえ補助手段を使用することにより、耐久性があり皮膚に柔らかいだけでなく、入浴経験の間中使用者の手に保持される手袋が提供される。クレンジング手袋を使用者に保持させることにより、その使用者は、その手袋が使用時に、特にごしごし洗っている間に落ちてしまわないというさらなる信頼感を与えられる。このことは、消費者が、クレンジング手袋を手に保持することについて気にかける必要なしに、手元の仕事、すなわち、洗う及び洗浄することに集中できるということを意味する。
【００２６】
別の一実施形態では、押さえ補助手段は第１及び第２のシート部材の少なくとも一方の内側面に取り付けられている。押さえ補助手段が第１及び第２のシート部材の少なくとも一方の内側面に取り付けられている場合、その押さえ補助手段はポリオレフィンフィルムであることが望ましい。このようなフィルムの例としては、ポリエチレン及び／又はポリプロピレンなどを含むフィルム類が挙げられるが、それらに限定されない。本発明の一実施形態では、ポリオレフィンフィルムは好ましくは約０．００１ｍｍ〜約１０ｍｍ、より好ましくは約０．００１ｍｍ〜約５ｍｍ、更により好ましくは約０．００１ｍｍ〜約２ｍｍの厚さを有する。特に好ましいポリオレフィンフィルムの型の１つは、線状低密度ポリエチレンフィルムである。
【００２７】
押さえ補助手段は、図３〜６に示されているもののような分離した要素の形態である場合、典型的には手袋を使用時に使用者の手に保持するのに十分な大きさ及び形状であり、その押さえ補助手段が取り付けられている不織布シート部材の表面積の好ましくは少なくとも約１０％、より好ましくは少なくとも約２５％、更により好ましくは少なくとも約３５％である。別の任意の実施形態では、図４及び６に示されているように、押さえ補助手段はそれが取り付けられている不織布シート部材とほぼ同じ大きさ及び形状である。
【００２８】
図３は、図１のクレンジング手袋の別の実施形態の断面の様子を示している、２−２に沿った断面図であり、第１及び第２のシート部材の少なくとも一方の内側面に取り付けられた押さえ補助手段を示している。図３では、ポリオレフィンフィルム１９０の形態の押さえ補助手段は、第２の不織布シート部材１１０の内側面１３０に取り付けられている。好適なフィルムは本明細書でより詳細に例示される。ポリオレフィンフィルム１９０は第２の不織布シート部材１１０の内側面１３０よりも小さい。加えて、図３においては第１の不織布シート部材２０は単一層材料であり、典型的には不織布材料であり、好ましくは本明細書でより詳細に説明される嵩高詰綿材料（high loft batting material）である。第１の不織布シート部材２０はまた、その第１の不織布シート部材２０全体にわたって均一に分布されたパーソナルケア組成物を放出可能に保持している。
【００２９】
図３では、押さえ補助手段１９０は第２の不織布シート部材１１０上のポリオレフィンフィルムの形態であるが、本発明の他の実施形態では、ポリオレフィンフィルムの形態の押さえ補助手段は第１の不織布シート部材２０上に存在してもよいことを理解すべきである。第１の不織布シート部材及び第２の不織布シート部材のどちらがポリオレフィンフィルムの形態の押さえ補助手段を有するかに関しては制限されない。更に、第１の不織布シート部材及び第２の不織布シート部材の両方が、その各内側面にポリオレフィンフィルムの形態の押さえ補助手段を取り付けられていることもまた、本発明の範囲内である。
【００３０】
図４は、図１のクレンジング手袋のまた別の実施形態の断面の様子を示している、２−２に沿った断面図であり、この図もまた第１及び第２のシート部材の少なくとも一方の内側面に取り付けられた押さえ補助手段を示している。図４では、第１の不織布シート部材２０は単一層材料であり、典型的には不織布材料であり、好ましくは本明細書においてより詳細に説明される嵩高詰綿材料である。第１の不織布シート部材２０はまた、その全体にわたって均一に分布されたパーソナルケア組成物を放出可能に保持している。
【００３１】
図４において、第２の不織布シート部材１１０は典型的には不織布材料であり、ポリオレフィンフィルム１９５の形態の押さえ補助手段がその内側面１３０に取り付けられている。図３のポリオレフィンフィルム１９０とは異なり、ポリオレフィンフィルム１９５は第２の不織布シート部材１１０とほぼ同じ大きさ及び形状である。実質的に、ポリオレフィンフィルム１９５と第２の不織布シート部材１１０は積層体を形成している。押さえ補助手段がポリオレフィンフィルムの形態である場合、それはいかなる好適な大きさ及び形状であってもよいことを理解すべきである。好適なポリオレフィンフィルムの例としては、ポリエチレンフィルム等が挙げられるが、それらに限定されない。好適なフィルムは本明細書においてより詳細に例示される。
【００３２】
図４では押さえ補助手段は第２の不織布シート部材１１０上のポリオレフィンフィルム１９５の形態であるが、本発明の他の実施形態では、ポリオレフィンフィルムの形態の押さえ補助手段は第１の不織布シート部材２０上に存在していてもよいことを理解すべきである。第１の不織布シート部材と第２の不織布シート部材のどちらがポリオレフィンフィルムの形態の押さえ補助手段を有しているかに関しては制限されない。更に、第１の不織布シート部材及び第２不織布シート部材の両方がその各内側面にポリオレフィンフィルムの形態の押さえ補助手段を取り付けられていることもまた、本発明の範囲内である。
【００３３】
図５は、図１のクレンジング手袋のまた別の実施形態の断面の様子を示している、２−２に沿った断面図である。図５では、第１の不織布シート部材２０は単一層材料であり、典型的には不織布材料であり、好ましくは本明細書においてより詳細に説明される嵩高詰綿材料である。第１の不織布シート部材２０はまた、その全体にわたって均一に分布されたパーソナルケア組成物を放出可能に保持している。
【００３４】
図５では、第２の不織布シート部材１１０は３つの層１２２、１２５及び１２７を有する積層体である。層１２２及び１２７は同じであっても異なっていてもよく、典型的には不織布材料であり、好ましくは良好な柔軟性を有する不織布材料である。良好な柔軟性を有するものを含む好適な不織布は、本明細書においてより詳細に例示される。層１２５は、本明細書においてより詳細に説明される弾性ウェブである。層１２５は層１２２及び１２７と共に内部容積１００の大きさの変化を可能にする延伸性の積層体を形成し、異なる使用者の手の大きさにぴったりと適合するための調節手段として機能するが、これについては本明細書においてより詳細に説明される。
【００３５】
図５では、ポリオレフィンフィルム１９０の形態の押さえ補助手段は、第２の不織布シート部材１１０の内側面１３０に取り付けられている。好適なフィルムは本明細書においてより詳細に例示されている。ポリオレフィンフィルム１９０は、第２の不織布シート部材１１０の内側面１３０よりも小さい。
【００３６】
図６は図１のクレンジング手袋のまた別の実施形態の断面の様子を示している、２−２に沿った断面図である。第１の不織布シート部材２０は３つの層を有する積層体である。第１の不織布シート部材２０において、層３５は層９５の周りで「Ｃ字状」折りに折り畳まれ、それによって３層積層体を形成している。層３５は典型的には不織布材料であり、好ましくは良好な柔軟性を有する不織布である。良好な柔軟性を有するものを含む好適な不織布は、本明細書においてより詳細に例示される。層９５は典型的には不織布材料であり、好ましくは本明細書においてより詳細に説明される嵩高詰綿材料である。
【００３７】
図６では、第１の不織布シート部材２０はまた、第２の不織布シート部材２０の内側面４０に最も近い層９５の表面上にある、パーソナルケア組成物９０を放出可能に保持している。実質的には、パーソナルケア組成物９０は第２の不織布シート部材２０の内部にある。
【００３８】
図６では、ポリオレフィンフィルム１９５の形態の押さえ補助手段は、第２の不織布シート部材１１０の内側面１３０に取り付けられている。好適なフィルムは本明細書においてより詳細に例示されている。ポリオレフィンフィルム１９５は、第２の不織布シート部材１１０とほぼ同じ大きさである。
【００３９】
図７を参照すると、本発明に従うクレンジング手袋の別の可能な実施形態２００が示されている。クレンジング手袋２００は、第１の不織布シート部材２１０を含み、これは外側面２２０、内側面、頂縁部２４０、底縁部２５０、第１の側縁部２６０、及び第２の側縁部２７０を有する。第１の不織布シート部材２１０は、覆い被さる関係にある実質的に相補関係にある第２の不織布シート部材３１０と共に、２８０を介して手が入れられる内部容積を画定している。しかしながら、この別の実施形態では、第２の不織布シート部材３１０は第１の不織布シート部材２１０よりもわずかに長く、延長部分すなわちタブ２９０のための増加分を与えている。理論に制限されることを望まないが、この任意のタブ２９０は、子供などの使用者がどうやって内部容積に手を入れることができるかということに関する視覚的手掛かりを提供するものと考えられる。
【００４０】
図８を参照すると、本発明に従うクレンジング手袋の別の可能な実施形態４００を示している。クレンジング手袋４００は第１の不織布シート部材４１０を含み、これは外側面４２０、内側面、頂縁部４４０、底縁部４５０、第１の側縁部４６０、及び第２の側縁部４７０を有している。第１の不織布シート部材４１０は、覆い被さる関係にある相補関係にある第２の不織布シート部材（図示せず）と共に、４８０を介して子供の手などの使用者の手が入れられる内部容積を画定している。第１の不織布シート部材４１０は、その外側面４２０上に装飾物４９０を有する。この印刷物はいかなる大きさ、形状、配置、色などであってもよい。それはデザイン、シンボル、文字、しるしなどであってよい。
【００４１】
本発明の任意の実施形態の１つでは、第１の不織布シート部材又は第２の不織布シート部材の一方がパーソナルケア組成物を放出可能に保持しているが、装飾物はパーソナルケア組成物を放出可能に保持していない不織布シート部材上にある。
【００４２】
別の実施形態では、装飾物は第１及び第２の不織布シート部材の両方の上にある。また別の実施形態では、装飾物はパーソナルケア組成物と同じ不織布シート部材上にある。しかし、これらの２つの代替実施形態は本発明の範囲内であるが、好ましいものではない。
【００４３】
図８では、装飾物４９０は第１の不織布シート部材４１０の外側面４２０上にあるが、本発明の他の実施形態では、装飾物は、存在する場合、第２の不織布シート部材上にあってもよいことを理解すべきである。存在する場合、第１の不織布シート部材及び第２の不織布シート部材のどちらが装飾物を有するかに関しては制限されない。更に、例えば不織布シート部材の外側面、内部、及び／又は内側面など、第１の及び／又は第２の不織布シート部材上のどこに装飾物が配置されるかについては制限されない。
【００４４】
不織布シート基材自体の製造は本発明の一部を形成しない。
【００４５】
不織布シート部材を作っている材料は通常の使用時の破断に抵抗するのに十分強くなければならないが、更に子供の柔らかい皮膚のような使用者の皮膚に柔軟性を提供する必要もある。加えて、その材料は非水溶性でなければならず、又は少なくとも使用者のクレンジング経験の間中、その形態を保持できなければならない。
【００４６】
本発明の一実施形態では、不織布シート部材は天然繊維と合成繊維との混合物である。本発明の別の実施形態では、不織布シート部材は天然繊維を全体として含んでもよく、一方更にまた別の実施形態では、合成繊維を全体として含んでもよい。
【００４７】
本発明の一実施形態では、各不織布シート部材は他方の不織布シート部材の材料とは異なる材料から作製される。本発明のまた別の実施形態では、２つの不織布シート部材が同じ材料から作製される。
【００４８】
好適な天然繊維としては、木材パルプ繊維、綿、及びレーヨンなどのセルロース繊維が挙げられるが、これらに限定されない。好適な合成繊維としては、ポリエステル及びポリプロピレン繊維、ポリエチレン、ポリエーテル、ポリエチレンテレフタレート（ＰＥＴ）、及びこれらの組み合わせを含むがこれらに限定されない、織物に通常使用される繊維が挙げられる。２成分ポリマー、又は単純にビコ若しくはシースポリマー（bico or sheath polymers）を使用することも可能である。これらのビコポリマー（bico polymers）は不織布シート部材の１構成繊維として使用することができ、及び／又はそれらはその不織布材料中に存在する他の繊維のための結合剤として作用するために存在してもよい。良好な柔軟性を有する好適な不織布としては、ポリプロピレン、ポリエチレン、セルロース、レーヨン、ポリエーテル、ＰＥＴ、２成分ポリマー、及びこれらの組み合わせを含む不織布材料が挙げられるが、それらに限定されない。
【００４９】
本発明で使用するための不織布シート部材を形成するために種々の形成方法が使用できる。例えば、不織布シート部材は、エアレイイングなどの不織布乾式形成技術（nonwoven dry forming techniques）によって、あるいはその外側で不織布シート部材が作製される連続ウェブの、製紙機上などでの湿式レイイング（wet laying）によって、作製することができる。接着剤結合、メルトブローン、スパンボンド、カーディング、ニードルパンチ、水流交絡、及び積層法などの技術を含むがそれらに限定されない他の不織布製造技術もまた使用されてよい。
【００５０】
本発明の不織布シート部材は、物理的処理、例えばゾーンアクティベーション（zone activation）、リングローリングセルフィング（ring rolling SELFing）など；化学的処理、例えば不織布シート部材の一部又は全部を疎水性、及び／又は親水性にすることなど；熱処理、例えば熱及び熱接着などによる繊維の柔軟化；並びにそれらの組み合わせなどがあるがそれらに限定されない種々の処理を行ってもよい。
【００５１】
本発明の一実施形態では、不織布シート部材は嵩高詰綿材料を含んでいてもよい。嵩高詰綿材料は、類似の非嵩高不織布材料と比較すると低密度の不織布であり、その構造全体にわたって無作為配列の空隙を含む。嵩高詰綿材料は、その構造及び外観においてスポンジ状である。理論に制限されることを望まないが、不織布シート部材が嵩高詰綿材料を含み、パーソナルケア組成物を放出可能に保持している場合、非嵩高詰綿不織布と比較して、質、容積持続性などの、しかしそれらに限定されない優れた泡生成を示すと考えられている。
【００５２】
本発明の一実施形態では、不織布シート部材の一方は約５０ｇｓｍ〜約８０ｇｓｍの秤量を有する嵩高詰綿材料である。好適な不織嵩高詰綿材料の１つの例は、６０ｇｓｍポリエステル不織布である、ベルギー、メウレベケ（Meulebeke）のリベルテックス（Libeltex）から入手可能なプロエフ（Proef）１２９７である。
【００５３】
一実施形態では、不織布シート部材は、天然繊維、ステープル長（staple length）合成繊維、及びラテックス結合剤の組み合わせを含む、エアレイド不織布材料であってもよい。不織布材料は約２０〜８０重量％の木材パルプ繊維、１０〜６０重量％のステープル長ポリエステル繊維、及び約１０〜２５重量％の結合剤であることができる。
【００５４】
本発明の不織布シート部材として用いるのに好適な材料の追加の情報は、以下の特許に見出すことができる：米国特許第３，８６２，４７２号（１９７５年１月２８日発行）；米国特許第３，９８２，３０２号（１９７６年９月２８日発行）；米国特許第４，００４，３２３号（１９７７年１月２５日発行）；米国特許第４，０５７，６６９号（１９７７年１１月８日発行）；米国特許第４，０９７，９６５号（１９７８年７月４日発行）；米国特許第４，１７６，４２７号（１９７９年１２月４日発行）；米国特許第４，１３０，９１５号（１９７８年１２月２６日発行）；米国特許第４，１３５，０２４号（１９７９年１月１６日発行）；米国特許第４，１８９，８９６号（１９８０年２月２６日発行）；米国特許第４，２０７，３６７号（１９８０年６月１０日発行）；米国特許第４，２９６，１６１号（１９８１年１０月２０日発行）；米国特許第４，３０９，４６９号（１９８２年１月２５日発行）；米国特許第４，６８２，９４２号（１９８７年７月２８日発行）；並びに米国特許第４，６３７，８５９号；同第５，２２３，０９６号；同第５，２４０，５６２号；同第５，５５６，５０９号；及び同第５，５８０，４２３号。
【００５５】
本発明の一実施形態では、不織布シート部材の一方は第１の材料、典型的には不織布材料を含み、その材料は弾性ウェブと接合されて２層積層体を形成している。本発明の別の実施形態では、不織布シート部材の一方は、外側の層を形成している２つの不織布材料とその不織布材料の間に挟まれた弾性ウェブの３層積層体である。
【００５６】
不織布シート部材が不織布材料の１以上の層及び任意で弾性ウェブの１以上の層を含む積層体である場合、その不織布材料と弾性ウェブは表面対表面の関係で、幾つかの断続的な表面接点において、又はそれらの同一の広がりを持つ表面の少なくとも一部分にわたって実質的に連続的に、互いに接合されて、不織布シート部材を形成することができる。弾性ウェブは伸張された又は伸張されていない状態のどちらであることができるが、好ましくは弾性ウェブは実質的に伸張されていない状態で、不織布材料が弾性ウェブと接合されている。
【００５７】
弾性ウェブはいかなる好適なエラストマー材からも作製することができる。一般に、いかなる好適なエラストマー樹脂、又はこのような樹脂を含有するブレンドも、エラストマーウェブを形成するために利用できる。例えば、弾性ウェブは、一般式Ａ−Ｂ−Ａ’を有するブロックコポリマーから作られるエラストマーフィルムであることができ、式中、Ａ及びＡ’はそれぞれスチレン部分、例えばポリ（ビニルアレーン）を含有する熱可塑性ポリマーの末端ブロックであり、Ｂは共役ジエン又は低級アルケンポリマーなどのエラストマーポリマーの中間ブロックである。他の好適なエラストマーウェブとしては、例えば、ポリウレタンエラストマー材を挙げることができ、商標名エスタン（ESTANE）でオハイオ州クリーブランドのＢ．Ｆ．グッドリッチ・アンド・カンパニー（B.F.Goodrich & Company）から入手可能なもの、商標名ペバックス（PEBAX）でペンシルベニア州フィラデルフィアのエルフ・アトケム（Elf Atochem）から入手可能なポリアミド材料を使用したもの、及び商標名ハイトレル（HYTREL）でデラウェア州ウィルミントンのＥ・Ｉ・デュポン・ド・ヌムール・アンド・カンパニー（E.I.duPont de Nemours & Company）から入手可能なポリエステル材料などがある。
【００５８】
ポリオレフィンはまた、その組み合わせの加工性を改善するためにエラストマー樹脂とブレンドすることもできる。ポリオレフィンは、エラストマー樹脂と共に、ブレンドされた形態において、押出し可能なものでなければならない。有用なブレンドポリオレフィン材料としては、ポリエチレン、ポリプロピレン、及びポリブテン、並びにエチレンコポリマー、ポリプロピレンコポリマー、及びブテンコポリマーが挙げられる。
【００５９】
エラストマーウェブはまた、感圧性エラストマー接着ウェブであることもできる。例えば、エラストマーウェブは、それ自身粘着性であることができ、あるいは融和性粘着付与樹脂を上述の押出成形可能なエラストマー組成物に添加して、そのエラストマーウェブを不織布シート部材用の不織布材料に接着するための感圧性接着剤として機能することができるエラストマーウェブを提供するようにすることもできる。エラストマーウェブはまた、２以上の別個の凝集性ウェブ又はフィルムを含むことができる多層材料であることもできる。加えて、エラストマーウェブは、１以上の層が弾性の及び非弾性の繊維又は粒子の混合物を含有する多層材料であることができる。
【００６０】
エラストマーウェブとして用いるための他の好適なエラストマー材としては、「生の（live）」合成又は天然ゴム、エラストマーポリオレフィンメタロセン触媒材料、熱収縮性エラストマーフィルム、形成エラストマースクリム（formed elastomeric scrim）、エラストマーフォームなどが挙げられる。
【００６１】
好適なエラストマー材及び延伸性積層体の追加の情報は、同時係属米国特許仮出願番号第 ／ ， 号（ドブリン（Dobrin）ら、２００３年３月１０日出願）、名称「使い捨て不織布クレンジング手袋」（Ｐ＆Ｇ整理番号９１８１Ｐ）に見出し得る。
【００６２】
本発明のまた別の実施形態では、不織布シート部材は任意でその内側面にポリマーフィルムを取り付けていてもよい。好ましい実施形態の１つでは、ポリマーフィルムは、その不織布シート部材と同様の大きさ及び形状であるならば、それらの組み合わせが積層体を形成する。こうした任意のフィルムの例としては、ポリエチレンフィルム、ポリプロピレンフィルムなどのようなポリオレフィンフィルムが挙げられるが、それらに限定されない。積層体である不織布シート部材の例示的な、しかし非限定的な例は、１０ｇｓｍ不織布ポリプロピレン及び０．８ｍｍの２０ｇｓｍポリエチレンフィルムの積層体である。
【００６３】
別の実施形態の１つでは、不織布シート部材はそれぞれ、約６２グラム／平方メートルの秤量を有し、約５０重量％のレーヨン繊維及び約５０重量％のポリエステル繊維、ポリプロピレン繊維、又はそれらの組み合わせを含む水流交絡材料を含むことができる。また別の実施形態では、不織布シート部材は、内部拘束層に接合された秤量約３０グラム／平方メートルのポリエステル繊維の不織布材料などの２つの外側の水流交絡材料の積層体を含むことができ、この内部拘束層は、網状スクリム又は熱で縮まって外側の水流交絡材料上に表面質感を与える連続プラスチックフィルム材料の形態であることができる。
【００６４】
本発明の一実施形態では、不織布シート部材の表面は本質的に平坦である。本発明の別の実施形態では、不織布シート部材の表面は、高くなった部分及び／又は低くなった部分を任意に含んでもよい。これらはロゴ、しるし、商標、幾何学的模様、クレンジング手袋がきれいにすることを意図する表面の画像（すなわち幼児の体、顔など）の形態であることができる。それらは不織布シート部材の表面上に無作為に配置されていてもよく、何らかの形態の繰り返しパターンであってもよい。それらは不織布シート部材の一方にあっても両方にあってもよい。一実施形態では、不織布シート部材の一方は、繰り返しパターン又は交互に高くなったり低くなったりする基材の部分を含む。不織布シート部材の表面中又は表面上のこの変形形態は、クレンジング手袋の意図する使用に関する情報、子供などの使用者がどのようにそのミットを彼らの手にはめるべきか、彼らが使用しているクレンジング手袋のどのブランド又は型がその使用者を洗浄し、又は洗浄する助けにもなるかという情報を、使用者、例えば子供や介護人に伝えるために含まれてもよい。
【００６５】
不織布シート部材が２以上の材料の積層体を含むことも本発明の範囲内である。市販の積層体、又は積層体を構築する目的は本発明の範囲内である。このような好適な市販の積層体の１つは、米国バージニア州リッチモンドのトレデガー（Tredegar）から入手可能な２５９−５０−３である。
【００６６】
本発明の別の実施形態では、不織布シート部材は生分解性である。例えば、基材はポリエステルアミドなどの生分解性材料から作製し得る。
【００６７】
第１及び第２の相補関係にある不織布シート部材は、いかなる好適な様式で互いに接合され又は結合されてもよい。例えば、第１及び第２の不織布シート部材は超音波結合、縫合、接着剤による結合、機械結合、溶融結合、加熱又は熱接着、及びこれらの組み合わせにより接合されてよい。第１及び第２の不織布シート部材は、それらの対応する第１縁部、第２縁部及び頂縁部で接合される。底縁部は全体が結合されないか、部分的に結合されるかどちらでもよい。このようないかなる部分的な結合も、子供が手袋を装着するのを制限せず、子供の手に手袋がしっかりはめられる助けとなり得る。
【００６８】
クレンジング手袋は種々の大きさに製造できる。本発明の一実施形態は、内部容積が、使用者の親指のための部分と、使用者の手の残りの部分のための部分との２つの部分に分けられているクレンジング手袋を含む。別の実施形態では、内部スペースは分離されておらず、使用者の手全体を収容できる。
【００６９】
本発明の任意の実施形態の１つでは、クレンジング手袋は典型的に、子供が使用するのに好適にするような寸法を有する。それは、底端部４６と頂端部４４の間を測定した場合の長さが約１００ｍｍ〜約２００ｍｍであり、側部３４の間の全幅が約８０ｍｍ〜約１２５ｍｍである、クレンジング手袋１０である。クレンジング手袋の内部部分に手を入れるための開口は約２０ｍｍ〜約８０ｍｍである。
【００７０】
本発明の別の任意の実施形態は、底端部４６と頂端部４４の間を測定した場合の長さが約１５５ｍｍであり、側部３４の間の全幅が約１０５ｍｍである、子供用クレンジング手袋１０である。この子供用クレンジング手袋の内部部分に手を入れるための開口は約５０ｍｍである。
【００７１】
（パーソナルケア組成物）
本発明の使い捨て洗浄用具によって放出可能に保持されているパーソナルケア組成物は、パーソナルケア組成物に通常使用されるもののような種々の構成成分を含んでよい。これらの任意成分は子供の皮膚及び毛髪に適用するのに適していなければならず、すなわち、物品に組み込まれた場合に、健全な医学的判断又は配合者の判断の範囲において、過度の毒性、不適応性、炎症、不安定性、アレルギー反応などがなく、ヒトの皮膚に接触させて使用するのに好適である。
【００７２】
本発明の一実施形態では、パーソナルケア組成物はペースト又は乾燥固体の形態である。組成物の約５０重量％超過の、水などの液体キャリアを含むパーソナルケア組成物は本発明の範囲内であるが、いかなる使い捨て洗浄用具もほとんど乾燥していることが好ましく、より好ましくは、洗浄環境と接触する前、すなわち子供が最初にその使い捨て洗浄用具を水に浸すか又は他の態様で水と接触させるまでは、さわったときに乾燥している。典型的には、これは、パーソナル組成物の約１０重量％以下、より好ましくは約７重量％以下の水などの液体キャリアの濃度と解釈される。
【００７３】
本発明の別の実施形態の１つでは、使い捨て洗浄用具中に存在するパーソナルケア組成物の量は、好ましくは約１ｇｓｍ〜約２００ｇｓｍ、より好ましくは約１０ｇｓｍ〜約１７５ｇｓｍ、更により好ましくは約２０ｇｓｍ〜約１５０ｇｓｍの量で存在する（不織布シート部材１平方メートル当りのパーソナルケア組成物のグラム数）。あるいは、各使い捨て洗浄用具は、使い捨て洗浄用具１個当り約１ｇ〜約２０ｇ、より好ましくは約１ｇ〜約１５ｇのパーソナルケア組成物を含有してもよい。
【００７４】
（界面活性剤）
本発明で用いられるパーソナルケア組成物は、１以上の界面活性剤を任意に含有してよい。典型的には任意の界面活性剤は、存在する場合、陰イオン性界面活性剤、両性界面活性剤、非イオン性界面活性剤、双極性界面活性剤、陽イオン性界面活性剤、及びこれらの混合物より成る群から選択される。
【００７５】
パーソナルケア組成物の界面活性剤は、発泡性界面活性剤であっても非発泡性界面活性剤であってもよい。本明細書で使用するとき、「発泡性界面活性剤」とは、水と組み合わせて機械攪拌したときに泡又は石鹸泡（foam or lather）を発生する界面活性剤を意味する。「非発泡性界面活性剤」は同様の条件下でそのような泡又は石鹸泡を生じない。しかし、石鹸泡の増加は消費者にとってクレンジング効果を示すものとして重要であるので、界面活性剤は発泡性であるのが好ましい。
【００７６】
本発明の組成物に有用な界面活性剤の非限定例は、マカッチャン（McCutcheon）の洗剤及び乳化剤（Detergents and Emulsifiers）、北米版（１９８６）、アルレッド・パブリッシング社（allured Publishing Corporation）出版；マカッチャンの機能材料（Functional Materials）、北米版（１９９２）、及び米国特許第３，９２９，６７８号（ラフリン（Laughlin）ら、１９７５年１２月３０日発行）に開示されている。
【００７７】
好適な界面活性剤の幾つかの非限定例としては、ラウロイルサルコシン酸アンモニウム、トリデセス硫酸ナトリウム、ラウロイルサルコシン酸ナトリウム、ラウレス硫酸アンモニウム、ラウレス硫酸ナトリウム、ラウリル硫酸アンモニウム、ラウリル硫酸ナトリウム、ココイルイセチオン酸アンモニウム、ココイルイセチオン酸ナトリウム、ラウロイルイセチオン酸ナトリウム、セチル硫酸ナトリウム、モノラウリルリン酸ナトリウム、ココグリセリルエーテルスルホン酸ナトリウム、ナトリウムＣ９〜Ｃ２２石鹸、アミンオキシド、例えばラウラミンオキシド及びココアミンオキシド、デシルポリグルコース、ラウリルポリグルコース、スクロースココエート、Ｃ１２〜１４グルコサミド、スクロースラウレート、脂肪族アミン、ジ−脂肪族四級アミン、トリ−脂肪族四級アミン、イミダゾリニウム四級アミン、ＰＥＧ８０ソルビタンラウレート、ＰＥＧ−１５０ジステアレート、ラウレス−１３カルボン酸ナトリウム、ラウロアンホ二酢酸二ナトリウム、ラウロアンホ酢酸ナトリウム、セチルジメチルベタイン、ココアミドプロピルベタイン、ココアミドプロピルヒドロキシスルタイン、並びにこれらの組み合わせが挙げられる。
【００７８】
界面活性剤は、存在する場合、典型的にはパーソナルケア組成物の好ましくは約０．０１重量％〜約９９重量％、より好ましくは約０．５重量％〜約９７重量％、より好ましくは約１．０重量％〜約９８重量％の濃度で組成物中で使用される。
【００７９】
（補助成分）
本発明で用いられるパーソナルケア組成物は、１以上の補助成分を任意に含有してもよい。
【００８０】
ＣＴＦＡ化粧品成分ハンドブック、第２版（１９９２）には、スキンケア産業で通常使用される種々多様な非限定的な化粧用、栄養補給用、及び薬剤用成分が記載されており、それらは本発明で用いられるパーソナルケア組成物中で補助成分として使用するのに好適である。これらの成分の部類の例としては：酵素、吸収剤、審美的構成成分、芳香剤、顔料、色素、着色剤、精油、皮膚感覚剤、抗ニキビ剤（例えば、レゾルシノール、イオウ、サリチル酸、エリスロマイシン、亜鉛等）、固化防止剤、消泡剤、防腐剤、コンディショナー、毛髪コンディショナー、染料、抗菌剤（例えば、クオタニウム−１５、メチルパラベン、エチルパラベン、プロピルパラベン、ＤＭＤＭヒダントイン等）、酸化防止剤、グリセリン、結合剤、生物学的添加物、緩衝剤、充填剤、キレート化剤、化学的添加物、溶媒、化粧用殺生物剤、変性剤、外用鎮痛剤、フィルム形成剤又はフィルム材、例えば、フィルム形成特性及び組成物の実質性（substantivity）を補助するためのポリマー（例えば、エイコセンとビニルピロリドンとのコポリマー）、湿潤剤、乳白剤、ｐＨ調整剤、加工助剤、還元剤、隔離剤、皮膚コンディショニング剤（種々雑多のもの及び閉塞性のものを含む湿潤剤）、皮膚沈静及び／又は回復剤（例えばパンテノール及び誘導体（例えばエチルパンテノール）、アロエベラ、パントテン酸及びその誘導体、アラントイン、ビサボロール、及びグリチルリチン酸二カリウム）、皮膚治療剤、結合剤、増粘剤、ヒドロコロイド、ゼオライト、並びにビタミン及びそれらの誘導体（例えば、トコフェロール、酢酸トコフェロール、βカロチン、レチン酸、レチノール、レチノイド類、レチニルパルミテート、ナイアシン、ナイアシンアミドなど）が挙げられるが、これらに限定されない。使い捨て洗浄用具によって放出可能に収容されるパーソナルクレンジング組成物は、当該技術分野で公知のもののような、例えば水、アルコール、ポリオール、などのキャリア構成成分を含んでもよい。このようなキャリアは、皮膚又は毛髪に適用するのに好適である１以上の適合性液体若しくは固体の充填希釈剤又はビヒクルを含むことができる。加えて、補助成分は、その不織布シート上に付着する任意の界面活性剤の沈着物とは別の沈着物として、不織布シート部材に適用できる。
【００８１】
本明細書で有用な補助成分は、それらの治療的若しくは審美的効果、又はそれらに要求される作用様式によって分類できる。しかしながら、本明細書で有用な補助成分は、場合によっては２つ以上の治療的若しくは審美的効果を提供し、又は２つ以上の作用様式で作用することができることを理解すべきである。したがって、本明細書における分類は、便宜のためになされており、構成成分を列挙された特定の用途又は用途群に限定するものではない。また、適用可能ならば、構成成分の製薬上許容できる塩も本明細書で有用である。
【００８２】
補助成分は、存在するならば、それぞれ典型的にパーソナルケア組成物の約０．０００１重量％〜約９９．９重量％、好ましくは約０．００１重量％〜約９９重量％、より好ましくは約０．０１重量％〜約９７重量％の濃度で組成物中で使用される。
【００８３】
本発明のクレンジング手袋の準備においては、パーソナルケア組成物は不織布シート部材の少なくとも一方によって放出可能に保持される必要がある。不織布シート部材とパーソナルケア組成物とを組み合わせるための技術は当該技術分野で周知である。パーソナルケア組成物を不織布シート部材と組み合わせる一般的な方法の例は、本発明の不織布シート部材のパーソナルケア組成物でのコーティング、浸漬（immersing）、液浸（dipping）、印刷（printing）、及び／又は噴霧を伴ってよい。本発明のパーソナルケア組成物は、本発明の所望の効果を提供するのに十分な濃度で、不織布シート部材に加えられる。本発明のパーソナルケア組成物を選択した不織布シート部材と組み合わせる便利な方法は、不織布シート部材が連続ウェブであるときに、パーソナルケア組成物を不織布シート部材に適用することである。この適用は、印刷、浸漬、液浸、噴霧、押出成形などのうちの１つ以上を含むがそれらに限定されない、多くの形態で可能である。パーソナルケア組成物が適用されると、不織布シート部材は所望の長さに裁断され、次いで販売のために包装される。あるいは、パーソナルケア組成物は、不織布シート部材が形成されたクレンジング手袋の一部であるときに不織布シート部材に加えられてもよい。
【００８４】
パーソナルケア組成物は、都合のよいいかなる様式で不織布シート部材に加えられてもよい。例えば、パーソナルケア組成物の構成成分をすべて共に混合してから不織布シート部材上に噴霧することもでき、各構成成分を別々に不織布シート部材上に付着させることもでき、又は半分の構成成分を共に混合して不織布シート部材上に添加し、次いで残りのものを共に混合して不織布シート部材上に噴霧してもよい。
【００８５】
本発明の任意の実施形態の１つでは、パーソナルケア組成物は、クレンジング手袋の組み立ての前にペーストの形態で不織布シート部材に適用される。この任意の実施形態は、より好ましくは「ホットメルト」組成物である。ホットメルト組成物は、室温で又は室温付近で高い粘度を有し、高温において溶融する（ほぼ液体となる）。このような系は、組成物が室温より高い温度において低粘度で（例えば液体で）不織布シート部材に適用（例えばコーティング、噴霧、押出成形）でき、そして組成物が冷却されると高粘度のペースト又は固体となるので、使い捨てのほぼ乾燥している（又はさわったときに乾燥している）クレンジング手袋の加工の際に有利である。
【００８６】
（商品）
本発明の一実施形態では、商品が提供される。本発明の商品は典型的には、（ａ）本明細書に記載されるような容器、及び（ｂ）少なくとも１つの、本明細書に記載されるようなクレンジング手袋を含む。
【００８７】
本物品において有用な容器としては、例えばＰＥＴタブ、フローラップポーチ（flow wrap pouches）、個々に包装されるクレンジング手袋用に予め切断された小袋、及び組成物を放出可能に保持している不織布物品に好適なものとして当該技術分野で公知のその他の包装が挙げられるが、それらに限定されない。本発明の一実施形態では、本発明のクレンジング手袋は、クレンジング手袋が容器内にある間に水と偶発的に接触する可能性を低減するために、水密性、防水性、耐水性などである容器中で保管される。加えて、容器はまた個々のクレンジング手袋の取り出しを容易にするように製造できる。
【００８８】
容器は好適ないかなる材料又は材料類で作ることもでき、好適ないかなる方法でも製造できる。例えば、容器はポリスチレン、ポリプロピレン、ＰＥＴ、ＰＯＥＴ、ポリエチレン、ポリエステル、ポリビニルアルコールなどで作ることができる。容器はまた、材料類の混合物で作られてもよい。容器は例えば、真空成形加工若しくは射出成形加工、又は好適ないかなる加工法によっても製造することができる。
【００８９】
本発明の任意の実施形態の１つでは、容器はまた、フック、吸着カップなどを含んでいてもよく、これらはその容器を、例えば浴槽の側部、浴室の備品、例えばシャワーヘッド、蛇口などの上部に保持できるようにし、又は浴室の壁に直接取り付けることもできるようにする。
【００９０】
本発明の使い捨て不織布クレンジング手袋はまた、同時係属米国特許仮出願番号第 ／ ， ， 号（サンチェス（Sanchez）ら、２００３年３月１０日出願）、名称「子供用クレンジングシステム（Child’s Cleansing System）」（Ｐ＆Ｇ整理番号９１８２Ｐ）に記載されているような商品に使用してもよい。
【実施例】
【００９１】
（実施例１）
６０ｇｓｍポリエステル不織嵩高詰綿材料（ベルギー、メウレベケ（Meulebeke）のリベルテックス（Libeltex）から入手可能なプロエフ（Proef）１２９７）である第１の部材を含み、１８ｇｓｍカーディング１００％ポリプロピレン不織布材料がその周りでＣ字状に折り畳まれている子供用入浴手袋。第２の部材は２員の積層体である。この２員積層体は、１８ｇｓｍカーディング１００％ポリプロピレン不織布材料及び２５ｇｓｍ線状低密度ポリエチレンフィルムを含む。ポリエチレンフィルムは子供用入浴手袋の内側面の一方の上にある。嵩高詰綿材料はパーソナルケア組成物を放出可能に保持しており、このパーソナルケア組成物はフランスのロディア（Rhodia）から入手可能な８５ｇｓｍのＢＣ２０である。
【００９２】
（実施例２）
第２の部材が４員積層体であり、ポリエチレンフィルムに加えて９０ｇｓｍの２層延伸性積層体、すなわち、米国バージニア州リッチモンド（Richmond）のトレデガー（Tredegar）から入手可能な２５９−５０−３、及び３０ｇｓｍの不織布（米国テネシー州ナシュビル（Nashville）のＢＢＡから入手可能な００８ＹＬＣＯ０９Ｕ）を含むこと以外は、実施例１のものと同様の子供用入浴手袋。
【００９３】
本発明の特定の実施形態を例示し、記載してきたが、様々なその他の変更及び修正を、本発明の精神及び範囲から逸脱することなく行うことが可能であることは、当業者には明白であろう。したがって、本発明の範囲内にあるそのようなすべての変更及び修正を、添付の特許請求の範囲で扱うものとする。
【図面の簡単な説明】
【００９４】
【図１】使い捨て不織布クレンジング手袋の一実施形態の底面図。
【図２】図１のクレンジング手袋の平面図。
【図３】図１の手袋の別の実施形態の１つの、２−２に沿った断面図。
【図４】図１の手袋のまた別の実施形態の、２−２に沿った断面図。
【図５】図１の手袋のまた別の実施形態の、２−２に沿った断面図。
【図６】図１の手袋のまた別の実施形態の、２−２に沿った断面図。
【図７】使い捨て不織布クレンジング手袋の別の実施形態の底面図。
【図８】使い捨て不織布クレンジング手袋の別の実施形態の底面図。
【図１】
2006519632.tif 000003
【図２】
2006519632.tif 000004
【図３】
2006519632.tif 000005
【図４】
2006519632.tif 000006
【図５】
2006519632.tif 000007
【図６】
2006519632.tif 000008
【図７】
2006519632.tif 000009
【図８】
2006519632.tif 000010
【国際調査報告】
2006519632.tif 000011
2006519632.tif 000012
2006519632.tif 000013